【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
a)硬膜内の脊髄に一致するようにおよび該脊髄と直接接触して固定されるように構成され、内面および外面を有するコンプライアント基材;
b)該基材の内面に沿って並べられた複数の電極;ならびに
c)該複数の電極を介して脊髄に電気刺激を送るように構成された回路であって、刺激が少なくとも500Hzの周波数を有する、該回路
を備える、疼痛伝達を抑制するように対象の脊髄を刺激するように構成された装置。
【請求項２】
a)硬膜内の脊髄に一致するようにおよび該脊髄と直接接触して固定されるように構成され、内面および外面を有するコンプライアント基材;
b)該基材の内面に沿って並べられた複数の電極;ならびに
c)該複数の電極を介して脊髄に電気刺激を送るように構成された回路であって、刺激が、脊髄内の感覚ニューロンの確率論的脱分極を促進するのに十分な高い周波数を有する、該回路
を備える、疼痛伝達を抑制するように対象の脊髄を刺激するように構成された装置。
【請求項３】
a)脊髄の領域の表面に一致するように構成されている埋め込み型信号受信機であって、送受信機が、該領域内の対応する位置と電気的に結合するように構成された複数の接点を有する、該埋め込み型信号受信機;および
b)電気刺激信号を発生するようにプログラムされたマイクロプロセッサを備える信号発生器
を備える、請求項1に記載の装置。
【請求項４】
a)脊髄の領域に一致するように構成されたコンプライアント基材と、該基材の内面に配置された電気刺激面とを含む電気刺激構成要素であって、刺激が脊髄と係合するように対象の硬膜内に移植されるべく構成されている該電気刺激構成要素;
b)電気刺激面と結合された信号発生器であって、電気刺激面からの電気刺激を脊髄に直接適用するように電気刺激面に通電すべく構成されている該信号発生器
を備える、請求項1に記載の装置。
【請求項５】
周波数が1,000〜9,000ヘルツである、請求項1〜4のいずれか一項に記載の装置。
【請求項６】
周波数が少なくとも2,000ヘルツである、請求項1〜4のいずれか一項に記載の装置。
【請求項７】
周波数が5,000〜15,000ヘルツである、請求項1〜4のいずれか一項に記載の装置。
【請求項８】
電気刺激が、不均一なパターンに従って変化する電位を含む、請求項1〜4のいずれか一項に記載の装置。
【請求項９】
電気刺激が、確率論的な間隔で変化する電位を含む、請求項1〜4のいずれか一項に記載の装置。
【請求項１０】
電気刺激を脊髄に伝えるための10個以上の電極からなるアレイを含む、請求項1〜4のいずれか一項に記載の装置。
【請求項１１】
アレイ内の異なる電極を介して異なる刺激が伝えられるように構成されている、請求項10に記載の装置。
【請求項１２】
脊髄を通る同期活動電位の伝達をモニタリングするための手段、および脊髄を通る同期活動電位の伝達をさらに抑制するように電気刺激を調節するための手段をさらに備える、請求項1〜4のいずれか一項に記載の装置。
【請求項１３】
対象の痛覚を抑制することにおける使用のための、請求項1〜4のいずれか一項に記載の装置。
【請求項１４】
対象におけるパーキンソン病、脊髄損傷、またはうっ血性心不全の症状を抑制することにおける使用のための、請求項1〜4のいずれか一項に記載の装置。
【手続補正２】
【補正対象書類名】明細書
【補正対象項目名】００１４
【補正方法】変更
【補正の内容】
【００１４】
[本発明1001]
以下の工程を含む、脊髄に沿って伝達される有害な神経信号が生じやすい対象の脊髄を刺激するための方法:
電極が脊髄と係合するように、対象の脊柱管内に電極アレイを移植する工程;
電気刺激が、脊髄に沿った有害な神経信号の伝達を抑制するように、アレイ内の電極を介して電気刺激を脊髄に直接適用する工程であって、該電気刺激が、感覚異常を抑制するのに十分な高い周波数を有する、工程。
[本発明1002]
以下の工程を含む、疼痛伝達を抑制するように対象の脊髄を刺激するための方法:
脊髄内の感覚ニューロンを、脊髄内で開始される同期活動電位の伝達に対して不応にするように、脊髄と直接接触している複数の電極を介して電気刺激を適用する工程。
[本発明1003]
電気刺激が、脊髄内の感覚ニューロンの確率論的脱分極を促進する、前記本発明のいずれかの方法。
[本発明1004]
電気刺激が、高周波数で交番する電位を含む、本発明1001〜1003のいずれかの方法。
[本発明1005]
高周波数が1,000〜9,000ヘルツである、本発明1004の方法。
[本発明1006]
電気刺激が、不均一なパターンに従って変化する電位を含む、本発明1001〜1003のいずれかの方法。
[本発明1007]
電気刺激が、確率論的な間隔で変化する電位を含む、本発明1001〜1003のいずれかの方法。
[本発明1008]
刺激が、脊髄と直接接触している10個以上の電極からなるアレイを介して脊髄に施される、前記本発明のいずれかの方法。
[本発明1009]
脊髄が、アレイ内の異なる電極を介して異なる刺激を適用することによって刺激される、本発明1008の方法。
[本発明1010]
脊髄を通る同期活動電位の伝達をモニタリングする工程、および脊髄を通る同期活動電位の伝達をさらに抑制するように電気刺激を調節する工程をさらに含む、前記本発明のいずれかの方法。
[本発明1011]
刺激が、対象の痛覚を抑制するように適用される、前記本発明のいずれかの方法。
[本発明1012]
刺激が、対象におけるパーキンソン病、脊髄損傷、またはうっ血性心不全の症状を抑制するように適用される、前記本発明のいずれかの方法。
[本発明1013]
a)硬膜内の脊髄の領域に一致するように構成され、内面および外面を有するコンプライアント基材;
b)該基材の内面に沿って並べられた複数の電極;ならびに
c)該複数の電極を介して脊髄に電気刺激を送り、それによって、脊髄内の感覚ニューロンを、脊髄内で開始される同期活動電位の伝達に対して不応にするための回路
を備える、疼痛伝達を抑制するように対象の脊髄を刺激するための装置。
[本発明1014]
a)脊髄の領域の表面に一致するように構成されている埋め込み型信号受信機であって、送受信機が、該領域内の対応する位置と電気的に結合するように構成された複数の接点を有する、該埋め込み型信号受信機;および
b)電気刺激信号を発生するようにプログラムされたマイクロプロセッサを備える信号発生器
を備える、疼痛伝達を抑制するように対象の脊髄を刺激するためのシステムであって、
該受信機が、該信号発生器から該信号を受信し、かつ脊髄の該領域内の対応する位置に該信号を送信し、それによって、脊髄内の感覚ニューロンを、脊髄内で開始される同期活動電位の伝達に対して不応にするように構成されている、
前記システム。
[本発明1015]
a)脊髄の領域に一致するように構成されたコンプライアント基材と、該基材の内面に配置された電気刺激面とを含む電気刺激装置であって、刺激が脊髄と係合するように対象の硬膜内に移植されるべく構成されている該電気刺激装置;
b)電気刺激面と結合された信号発生器であって、顕性の刺激誘導性感覚異常を抑制するのに十分な高い周波数で電気刺激面からの電気刺激を脊髄に直接適用するように電気刺激面に通電すべく構成されている該信号発生器
を備える、脊髄に沿って伝達される有害な神経信号が生じやすい対象の脊髄を刺激するためのシステム。
[本発明1016]
電気刺激が、脊髄内の感覚ニューロンの確率論的脱分極を促進する、本発明1013〜1015のいずれかの装置またはシステム。
[本発明1017]
電気刺激が、高周波数で交番する電位を含む、本発明1013〜1016のいずれかの装置またはシステム。
[本発明1018]
高周波数が1,000〜9,000ヘルツである、本発明1017の装置またはシステム。
[本発明1019]
電気刺激が、不均一なパターンに従って変化する電位を含む、本発明1013〜1016のいずれかの装置またはシステム。
[本発明1020]
電気刺激が、確率論的な間隔で変化する電位を含む、本発明1013〜1016のいずれかの装置またはシステム。
[本発明1021]
電気刺激を脊髄に伝えるための10個以上の電極からなるアレイを含む、本発明1013〜1020のいずれかの装置またはシステム。
[本発明1022]
アレイ内の異なる電極を介して異なる刺激が伝えられるように構成されている、本発明1021の装置またはシステム。
[本発明1023]
脊髄を通る同期活動電位の伝達をモニタリングするための手段、および脊髄を通る同期活動電位の伝達をさらに抑制するように電気刺激を調節するための手段をさらに備える、本発明1013〜1022のいずれかの装置またはシステム。
[本発明1024]
対象の痛覚を抑制することにおける使用のための、本発明1013〜1023のいずれかの装置またはシステム。
[本発明1025]
対象におけるパーキンソン病、脊髄損傷、またはうっ血性心不全の症状を抑制することにおける使用のための、本発明1013〜1024のいずれかの装置またはシステム。
本発明の他の局面は以下の説明から明らかとなる。